【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
ファイル中のトラックのためのメタデータを含むトラックボックスを備える前記ファイルを生成することを備え、
前記トラックのためのメディアデータは、サンプルのシーケンスを備え、前記サンプルの各々は、前記マルチレイヤビデオデータの複数のビデオアクセスユニットのうちの１つのビデオアクセスユニットであり、
前記ファイルを生成することは、前記ファイル中に、少なくとも１つのイントラランダムアクセスポイント（ＩＲＡＰ）ピクチャを含む前記サンプルのすべてを記録するサンプルグループを定義することを備え、
前記サンプルグループは、
前記サンプルグループによって記録されたサンプルの前記シーケンス中の特定のサンプル中のすべてのコーディングされたピクチャがＩＲＡＰピクチャであるかどうかを示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中のＩＲＡＰピクチャの数を示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中の前記ＩＲＡＰピクチャのレイヤ識別子を示す値と、
を含むサンプルグループエントリーを含むように定義され、前記生成されたファイル中の前記複数のビデオアクセスユニットのうちの少なくとも１つは、ベースレイヤ中にＩＲＡＰピクチャを含み、また他のレイヤ中に１つまたは複数の非ＩＲＡＰピクチャを含む、方法。
【請求項２】
前記サンプルグループエントリーは、前記特定のサンプルの前記ＩＲＡＰピクチャ中のビデオコーディングレイヤ（ＶＣＬ）ネットワーク抽象化レイヤ（ＮＡＬ）ユニットのＮＡＬユニットタイプを示す値をさらに備える、請求項１に記載の方法。
【請求項３】
前記ファイルを生成することは、前記ファイル中に、前記トラックのシンクサンプルを記録するシンクサンプルテーブルを含むシンクサンプルボックスを生成することをさらに備え、
前記トラックの各シンクサンプルは、前記トラックのランダムアクセスサンプルであり、
アクセスユニット中の各コーディングされたピクチャがＩＲＡＰピクチャである場合、スケーラブルビデオコーディングサンプルはシンクサンプルであり、
前記アクセスユニット中の各コーディングされたピクチャがランダムアクセススキップリーディング（ＲＡＳＬ）ピクチャを伴わないＩＲＡＰピクチャである場合、マルチビュービデオコーディングサンプルはシンクサンプルである、請求項１に記載の方法。
【請求項４】
マルチレイヤビデオデータを処理する方法であって、
ファイルから、前記ファイル中のトラックのためのメタデータを含むトラックボックスを取得することと、ここにおいて、前記トラックのためのメディアデータはサンプルのシーケンスを備え、前記サンプルの各々は前記マルチレイヤビデオデータの複数のビデオアクセスユニットのうちの１つのビデオアクセスユニットであり、
前記ファイルから、少なくとも１つのイントラランダムアクセスポイント（ＩＲＡＰ）ピクチャを含む前記サンプルのすべてを記録するサンプルグループの定義を取得することと、ここにおいて、
前記サンプルグループは、
前記サンプルグループによって記録されたサンプルの前記シーケンス中の特定のサンプル中のすべてのコーディングされたピクチャがＩＲＡＰピクチャであるかどうかを示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中のＩＲＡＰピクチャの数を示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中の前記ＩＲＡＰピクチャのレイヤ識別子を示す値と、
を含むサンプルグループエントリーを含むように定義され、前記生成されたファイル中の前記複数のビデオアクセスユニットのうちの少なくとも１つは、ベースレイヤ中にＩＲＡＰピクチャを含み、また他のレイヤ中に１つまたは複数の非ＩＲＡＰピクチャを含み、
前記サンプルグループに基づいて、少なくとも１つのＩＲＡＰピクチャを含む前記サンプルの１つまたは複数を決定することと、
を備える方法。
【請求項５】
前記サンプルグループエントリーから、前記特定のサンプルの前記ＩＲＡＰピクチャ中のビデオコーディングレイヤ（ＶＣＬ）ネットワーク抽象化レイヤ（ＮＡＬ）ユニットのＮＡＬユニットタイプを示す値を取得することを備える、請求項４に記載の方法。
【請求項６】
前記ファイルから、前記トラックのシンクサンプルを記録するシンクサンプルテーブルを含むシンクサンプルボックスを取得することをさらに備え、
前記トラックの各シンクサンプルは、前記トラックのランダムアクセスサンプルであり、
アクセスユニット中の各コーディングされたピクチャがＩＲＡＰピクチャである場合、スケーラブルビデオコーディングサンプルはシンクサンプルであり、
前記アクセスユニット中の各コーディングされたピクチャがランダムアクセススキップリーディング（ＲＡＳＬ）ピクチャを伴わないＩＲＡＰピクチャである場合、マルチビュービデオコーディングサンプルはシンクサンプルである、請求項４に記載の方法。
【請求項７】
少なくとも１つのＩＲＡＰピクチャを含む前記１つまたは複数のサンプルの１つにおいて、前記マルチレイヤビデオデータの復号を開始することをさらに備える、請求項４に記載の方法。
【請求項８】
ファイル中のトラックのためのメタデータを含むトラックボックスを備える前記ファイルを生成するための手段、
を備え、前記トラックのためのメディアデータは、サンプルのシーケンスを備え、前記サンプルの各々は、マルチレイヤビデオデータの複数のビデオアクセスユニットのうちの１つのビデオアクセスユニットであり、
前記ファイルを生成するための前記手段は、前記ファイル中に、少なくとも１つのイントラランダムアクセスポイント（ＩＲＡＰ）ピクチャを含む前記サンプルのすべてを記録するサンプルグループを定義することを備え、
前記サンプルグループは、
前記サンプルグループによって記録されたサンプルの前記シーケンス中の特定のサンプル中のすべてのコーディングされたピクチャがＩＲＡＰピクチャであるかどうかを示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中のＩＲＡＰピクチャの数を示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中の前記ＩＲＡＰピクチャのレイヤ識別子を示す値と、
を含むサンプルグループエントリーを含むように定義され、前記生成されたファイル中の前記複数のビデオアクセスユニットのうちの少なくとも１つは、ベースレイヤ中にＩＲＡＰピクチャを含み、また他のレイヤ中に１つまたは複数の非ＩＲＡＰピクチャを含む、ビデオデバイス。
【請求項９】
前記サンプルグループエントリー中に、前記特定のサンプルの前記ＩＲＡＰピクチャ中のビデオコーディングレイヤ（ＶＣＬ）ネットワーク抽象化レイヤ（ＮＡＬ）ユニットのＮＡＬユニットタイプを示す値を含めるための手段を備える、請求項８に記載のビデオデバイス。
【請求項１０】
前記ファイルを生成するための前記手段は、前記ファイル中に、前記トラックのシンクサンプルを記録するシンクサンプルテーブルを含むシンクサンプルボックスを生成することを備えるための手段を含み、
前記トラックの各シンクサンプルは、前記トラックのランダムアクセスサンプルであり、
アクセスユニット中の各コーディングされたピクチャがＩＲＡＰピクチャである場合、スケーラブルビデオコーディングサンプルはシンクサンプルであり、
前記アクセスユニット中の各コーディングされたピクチャがランダムアクセススキップリーディング（ＲＡＳＬ）ピクチャを伴わないＩＲＡＰピクチャである場合、マルチビュービデオコーディングサンプルはシンクサンプルである、請求項８に記載のビデオデバイス。
【請求項１１】
ファイルから、前記ファイル中のトラックのためのメタデータを含むトラックボックスを取得するための手段と、ここにおいて、前記トラックのためのメディアデータはサンプルのシーケンスを備え、前記サンプルの各々はマルチレイヤビデオデータの複数のビデオアクセスユニットのうちの１つのビデオアクセスユニットであり、
前記ファイルから、少なくとも１つのイントラランダムアクセスポイント（ＩＲＡＰ）ピクチャを含む前記サンプルのすべてを記録するサンプルグループの定義を取得するための手段と、ここにおいて、
前記サンプルグループは、
前記サンプルグループによって記録されたサンプルの前記シーケンス中の特定のサンプル中のすべてのコーディングされたピクチャがＩＲＡＰピクチャであるかどうかを示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中のＩＲＡＰピクチャの数を示す値と、
前記サンプルグループによって記録されたサンプルの前記シーケンス中の特定のサンプル中のすべてのコーディングされたピクチャがＩＲＡＰピクチャでない場合、前記サンプルグループによって記録された前記特定のサンプル中の前記ＩＲＡＰピクチャのレイヤ識別子を示す値と、
を含むサンプルグループエントリーを含むように定義され、前記生成されたファイル中の前記複数のビデオアクセスユニットのうちの少なくとも１つは、ベースレイヤ中にＩＲＡＰピクチャを含み、また他のレイヤ中に１つまたは複数の非ＩＲＡＰピクチャを含み、
前記サンプルグループに基づいて、少なくとも１つのＩＲＡＰピクチャを含む前記サンプルの１つまたは複数を決定するための手段と、
を備える、ビデオデバイス。
【請求項１２】
前記サンプルグループエントリーから、前記特定のサンプルの前記ＩＲＡＰピクチャ中のビデオコーディングレイヤ（ＶＣＬ）ネットワーク抽象化レイヤ（ＮＡＬ）ユニットのＮＡＬユニットタイプを示す値を取得するための手段を備える、請求項１１に記載のビデオデバイス。
【請求項１３】
前記ファイルから、前記トラックのシンクサンプルを記録するシンクサンプルテーブルを含むシンクサンプルボックスを取得するための手段をさらに備え、
前記トラックの各シンクサンプルは、前記トラックのランダムアクセスサンプルであり、
アクセスユニット中の各コーディングされたピクチャはＩＲＡＰピクチャである場合、スケーラブルビデオコーディングサンプルはシンクサンプルであり、
前記アクセスユニット中の各コーディングされたピクチャがランダムアクセススキップリーディング（ＲＡＳＬ）ピクチャを伴わないＩＲＡＰピクチャである場合、マルチビュービデオコーディングサンプルはシンクサンプルである、請求項１１に記載のビデオデバイス。
【請求項１４】
少なくとも１つのＩＲＡＰピクチャを含む前記１つまたは複数のサンプルの１つにおいて、前記マルチレイヤビデオデータの復号を開始するための手段をさらに備える、請求項１１に記載のビデオデバイス。
【請求項１５】
実行されると、１つまたは複数のプロセッサに、請求項１乃至７のうちのいずれか一項に記載の方法を実行させる命令を記憶した、コンピュータ可読データ記憶媒体。